(57)【要約】【課題】外郭ケースの側面にビスを設けない構成とし、デザイン性を向上させること。【解決手段】アンダーフレーム２は、下方に伸設され下端が折り曲げられ水平な取り付け面８を有するフレームフック９を有し、外郭ケース６の底面下方から外郭ケース６に設けられた穴を通って締付けられるビス１０により、取り付け面８と外郭ケース６を締結することにより、側面にビスを取り付けない構成とすることが出来る。【選択図】図１
2011096425.tif 000002
【特許請求の範囲】
【請求項１】
被加熱調理器具を載置するトッププレートと、前記トッププレートを下方から支持するアンダーフレームと、前記トップフレームの下方に設けられた加熱コイルと、前記加熱コイルに高周波電源を供給する制御基板と、前期制御基板を収納する基板ケースと、前記加熱コイルと基板ケースを内部に収納する外郭ケースと、外郭ケースの底面に取付けられる固定脚とを備え、アンダーフレームは、下方に伸設され下端が折り曲げられ水平な取り付け面を有するフレームフックを有し、外郭ケースの底面下方から外郭ケースに設けられた穴を通って締付けられるビスにより、前記取り付け面と前記外郭ケースが締結されてなる誘導加熱調理器。
【請求項２】
前記フレームフックと、前記外郭ケースとの間に、樹脂の受け台を設け、前記受け台に貫通穴を設け、前記外郭ケースの底面下方から外郭ケースに設けられた穴を通って締付けられるビスを、前記受け台の貫通穴を通して、前記取り付け面と前記外郭ケースが締結されてなる請求項１に記載の誘導加熱調理器。
【請求項３】
前記樹脂の受け台と、前記基板ケースとを一体化した請求項２に記載の誘導加熱調理器。
【請求項４】
前記樹脂の受け台の貫通穴に、金属製スリーブを挿入し、前記外郭ケースの底面下方から外郭ケースに設けられた穴を通って締付けられるビスを、前記金属製スリーブを通して、前記取り付け面と前記外郭ケースが締結されてなる請求項２または３に記載の誘導加熱調理器。
【発明の詳細な説明】
【技術分野】
【０００１】
本発明は、一般家庭で使用する誘導加熱調理器に関するものである。
【背景技術】
【０００２】
従来、この種の誘導加熱調理器では、トッププレートを下方から支持するアンダーフレームと外郭ケースをビスにより締結しているものがある（例えば、特許文献１参照）。
【０００３】
その構成は図６に示すように、被加熱調理器具を載置するトッププレート１３と、トッププレート１３を下方から支持するアンダーフレーム１４と、トップフレーム１３の下方に設けられた加熱コイル１５と、加熱コイル１５に高周波電源を供給する制御基板１６と、制御基板１６を収納する基板ケース１７と、加熱コイル１５と基板ケース１７を内部に収納する外郭ケース１８と、外郭ケース１８の底面に取付けられる固定脚１９とを備え、アンダーフレーム１４は、下方に伸設された取り付け２０を有し、外郭ケース１８の側面に設けられた穴を通って締付けられるビス２１によりアンダーフレーム１４の取り付け面２０と外郭ケース１８が締結される構成としている。
【先行技術文献】
【特許文献】
【０００４】
【特許文献１】特開２００８−１７７０１０号公報
【発明の概要】
【発明が解決しようとする課題】
【０００５】
しかしながら前記従来の構成では、外郭ケースの側面にビスを取り付けるために、使用者からビスが見えてデザイン性が悪くなるという問題があった。
【０００６】
本発明は、前記従来の課題を解決するもので、外郭ケースの側面にビスを取り付けずに、アンダーフレームと外郭ケースを締結し、デザイン性を向上させるというものである。
【課題を解決するための手段】
【０００７】
前記従来の課題を解決するために本発明の誘導加熱調理器は、アンダーフレームに、下方に伸設され下端が折り曲げられ水平な取り付け面を有するフレームフックを設け、外郭ケースの底面下方から外郭ケースに設けられた穴を通って締付けられるビスにより、取り付け面と外郭ケースが締結されるようにしたものである。
【０００８】
これによって、外郭ケースの側面にビスを取り付けずに、アンダーフレームと外郭ケースを締結することが出来、デザイン性を向上させることが出来る。
【発明の効果】
【０００９】
本発明の誘導加熱調理器は、外郭ケースの側面にビスを取り付けずに、アンダーフレームと外郭ケースを締結することが出来、デザイン性を向上させることが出来る。
【図面の簡単な説明】
【００１０】
【図１】本発明の実施の形態１における誘導加熱調理器の側面断面図
【図２】本発明の実施の形態１における誘導加熱調理器の側面断面図
【図３】本発明の実施の形態２における誘導加熱調理器の側面断面図
【図４】本発明の実施の形態３における誘導加熱調理器の部分拡大図
【図５】本発明の実施の形態３における誘導加熱調理器の部品図
【図６】従来の誘導加熱調理器の側面断面図
【発明を実施するための形態】
【００１１】
第１の発明は、アンダーフレームに、下方に伸設され下端が折り曲げられ水平な取り付け面を有するフレームフックを設け、外郭ケースの底面下方から外郭ケースに設けられた穴を通って締付けられるビスにより、取り付け面と外郭ケースが締結されるようにしたことにより、外郭ケースの側面にビスを取り付けずに、ダンダーフレームと外郭ケースを締結することが出来、使用者からビスが見えず、デザイン性を向上させることが出来る。
【００１２】
第２の発明は、特に、第１の発明において、フレームフックと、外郭ケースとの間に、樹脂の受け台を設け、受け台に貫通穴を設け、外郭ケースの底面下方から外郭ケースに設けられた穴を通って締付けられるビスを、受け台の貫通穴を通して、取り付け面と外郭ケースが締結されることにより、フレームフックを短くすることができ、フレームフックの強度を上げることが出来る。
【００１３】
第３の発明は、特に、第２の発明において、樹脂の受け台と、基板ケースとを一体化することにより、部品の点数を削減することが出来る。
【００１４】
第４の発明は、特に、第２または第３の発明において、樹脂の受け台の貫通穴に、金属製スリーブを挿入し、外郭ケースの底面下方から外郭ケースに設けられた穴を通って締付けられるビスを、金属製スリーブを通して、取り付け面と外郭ケースが締結されることにより、アンダーフレームと外郭ケースは、フレームフック、金属スリーブを介して金属で締結されるので、強度を上げることができ、また、外郭ケースがアースされている場合には、アンダーフレームもアースが取れる構造となり、感電等の危険を防止することが出来る。
【００１５】
以下、本発明の実施の形態について、図面を参照しながら説明する。なお、この実施の形態によって本発明が限定されるものではない。
【００１６】
（実施の形態１）
図１は、本発明の実施の形態１における側面断面図を示している。
【００１７】
図１に示すように、被加熱調理器具を載置するトッププレート１と、トッププレート１を下方から支持するアンダーフレーム２と、トッププレート１の下方に設けられた加熱コイル３と、加熱コイル３に高周波電源を供給する制御基板４と、制御基板４を収納する基板ケース５と、加熱コイル３と基板ケース５を内部に収納する外郭ケース６と、外郭ケース６の底面に取付けられる固定脚７とを備え、アンダーフレーム２は、下方に伸設され下端が折り曲げられ水平な取り付け面８を有するフレームフック９を有し、外郭ケース６の底面下方から外郭ケース６に設けられた穴を通って締付けられるビス１０により、取り付け面８と外郭ケース６が締結される構成としている。
【００１８】
これにより、外郭ケース６の側面にビスを取り付けずに、ダンダーフレーム２と外郭ケース６を締結することが出来、使用者からビスが見えず、デザイン性を向上させることが出来る。
【００１９】
（実施の形態２）
図２は、本発明の実施の形態２における側面断面図を示している。
【００２０】
図２に示すように、フレームフック９と、外郭ケース６との間に、樹脂の受け台１１を設け、受け台１１に貫通穴を設け、外郭ケース６の底面下方から外郭ケース６に設けられ
た穴を通って締付けられるビス１０を、受け台１１の貫通穴を通して、取り付け面８と外郭ケース６が締結される構成としている。
【００２１】
これにより、フレームフック９を短くすることが出来、フレームフックの強度を上げることが出来る。
【００２２】
（実施の形態３）
図３は、本発明の実施の形態３における側面断面図を示している。
【００２３】
図３に示すように、樹脂の受け台１１と、基板ケース５とを一体化したものである。本実施の形態では、フレームフックと外郭ケースとのビスによる締結は４箇所であり、受け台も４個必要となるが、受け台と基板ケースを一体化することにより、部品の点数を削減することが出来き、かつ、組立作業性も改善される。
【００２４】
（実施の形態４）
図４は、本発明の実施の形態４における部分拡大図を示している。
【００２５】
図４に示すように、樹脂の受け台１１の貫通穴に、図５に示すような金属製スリーブ１２を挿入し、外郭ケース６の底面下方から外郭ケース６に設けられた穴を通って締付けられるビス１０を、金属製スリーブ１２を通して、取り付け面８と外郭ケース６が締結されてなる構成としたものである。これにより、アンダーフレーム２と外郭ケースは、フレームフック９、金属スリーブ１２を介して金属で締結されるので、強度を上げることができ、また、外郭ケース６にアースされている場合には、アンダーフレームもアースが取れる構造となり、感電等の危険を防止することが出来る。
【産業上の利用可能性】
【００２６】
以上のように、本発明にかかる誘導加熱調理器は、外郭ケースの側面にビスを取り付けずに、ダンダーフレームと外郭ケースを締結することが出来、デザイン性を向上させることが出来るので、誘導加熱調理器に限らず卓上に設置する外郭を金属で形成にした調理器等に適用できる。
【符号の説明】
【００２７】
１  トッププレート
２  アンダーフレーム
３  加熱コイル
４  制御基板
５  基板ケース
６  外郭ケース
７  固定脚
８  取付面
９  フレームフック
１０  ビス
１１  受け台
１２  金属スリーブ
【図１】
2011096425.tif 000003
【図２】
2011096425.tif 000004
【図３】
2011096425.tif 000005
【図４】
2011096425.tif 000006
【図５】
2011096425.tif 000007
【図６】
2011096425.tif 000008